(57)【要約】【課題】  上部に矩形のフレームを備えた折り畳みコンテナであって、丸みを帯びた物品の収容に好ましく用いることができ、しかも上方から荷重がかかったときの、煽り板の係合の解除を防止することができる折り畳みコンテナを提供する。【解決手段】  略矩形状のフレーム１と略矩形状の底板２との間に配置され、ヒンジ７を介して内方に折り畳み自在な上側板部４と下側板部６とからなる側板８を備え、上端を前記フレーム１に揺動自在に支承した煽り板２８で端部を閉塞するようにした折り畳みコンテナにおいて、煽り板２８の内壁面２８ｃを、内側から外方に向かって球面状に膨出させた曲面から構成したことを特徴としている。【選択図】  図１
2005186942.tif 000002
【特許請求の範囲】
【請求項１】
略矩形状のフレームと略矩形状の底板との間に配置され、ヒンジを介して内方に折り畳み自在な上側板部と下側板部とからなる側板を備え、上端を前記フレームに揺動自在に支承した煽り板で端部を閉塞するようにした折り畳みコンテナにおいて、
前記煽り板の内壁面を、内側から外方に向かって球面状に膨出させた曲面から構成したことを特徴とする折り畳みコンテナ。
【請求項２】
前記煽り板の内壁面に、前記球面状の曲面を複数個分散して設けたことを特徴とする請求項１に記載の折り畳みコンテナ。
【発明の詳細な説明】
【技術分野】
【０００１】
本発明は、折り畳みコンテナに関し、詳しくは、上部にフレームを備えた折り畳みコンテナであって、丸みを帯びた物品を収容するのに好適な折り畳みコンテナに関する。
【背景技術】
【０００２】
折り畳みコンテナの中には、図２に示したように、矩形枠状のフレーム１と平板状の底板２との間に、ヒンジ７を介して内方に折り畳み自在な上側板部４と下側板部６とからなり側部を閉塞する一対の側板８と、上端を前記フレーム１に揺動自在に支承して端部を閉塞する一対の煽り板１０を配置した折り畳みコンテナ２０が提供されている（例えば、特許文献１）。
【０００３】
このように、上部に矩形のフレーム１を備えた折り畳みコンテナ２０を折り畳む場合には、先ず、煽り板１０、１０の下端部を、フレーム１の開口部側に跳ね上げるとともに、ヒンジ７を設けた側板８を外側から内側に向って押し倒すことにより、上側板部４と下側板部６とを重ね合わせて背の低い状態にしている。
【０００４】
このように、上部にフレーム１を備えた折り畳みコンテナ２０では、一対の煽り板１０が底板２に対して垂直に立設されたときに、容器としての強度が最大限に発揮される。
【０００５】
ところで、このように上部にフレーム１を備えた折り畳みコンテナ２０では、例えば、キャベツのような丸みを帯びた野菜などを収容すると、その物品の周面がコンテナ２０の内壁面に当接して、傷みを早めたり、欠損あるいは損傷を生じさせたりするという問題があった。
【０００６】
一方、折り畳みコンテナの中には、底部を囲むように配設された側壁が、底部に重なるように折り畳むことができる折り畳みコンテナがある。このような折り畳みコンテナには、内壁面に球面状の凹部を設けたものもある。（例えば、特許文献２）。
【特許文献１】実公平４−１５６３３号公報
【特許文献２】特表２００３−５１８４７１号公報
【発明の開示】
【発明が解決しようとする課題】
【０００７】
しかしながら、特許文献１のように、フレーム１及び底板２と、該フレーム１及び底板２に対してそれぞれ回動可能に取り付けられ、かつ、連結部にて内側へ折曲がるように連結した上下一対の側板８と、前記フレーム１に対して回動可能に取り付けられた煽り板１０とで構成された折り畳みコンテナ２０においては、内壁面の形状に何ら工夫がなされていなかった。
【０００８】
また、特許文献１のような折り畳みコンテナ２０では、上方から荷重が掛かった時に、煽り板１０が不用意に底板２から外れ、内容物を破壊する問題も生じていた。
【０００９】
本発明は、このような従来の問題点に鑑み、特に、上部に矩形のフレームを備えた折り畳みコンテナであって、丸みを帯びた物品の収容に好ましく用いることができ、しかも上方から荷重がかかったときなどの、煽り板の係合の解除を効果的に防止することができる折り畳みコンテナを提供することを目的としている。
【課題を解決するための手段】
【００１０】
上記目的を達成するための本発明に係る折り畳みコンテナは、略矩形状のフレームと略矩形状の底板との間に配置され、ヒンジを介して内方に折り畳み自在な上側板部と下側板部とからなる側板を備え、上端を前記フレームに揺動自在に支承した煽り板で端部を閉塞するようにした折り畳みコンテナにおいて、
前記煽り板の内壁面を、内側から外方に向かって球面状に膨出させた曲面から構成したことを特徴としている。
【００１１】
このような構成であれば、丸みを帯びた物品を収容する場合であっても、物品の外周部が当接する部分が外方に膨出されているので、物品と内壁面との接触面積が大きくなり、物品を保護することができる。また、大きな荷重が上方から作用するとしても、煽り板は外側に開くように力が作用するので、折り畳みの係合の解除が阻止される。
【００１２】
ここで、前記煽り板の内壁面に、前記球面状の曲面を複数個分散して設けることが好ましい。
【００１３】
このような形状であっても、丸みを帯びた物品を好ましく収容することができる。
【発明の効果】
【００１４】
本発明に係る折り畳みコンテナによれば、煽り板の内壁面が内方に膨出されているので、丸みを帯びた物品との接触面積が多くなるため、丸みを帯びた物品を好ましく収容することができる。したがって、丸みを帯びた物品が野菜などであれば、痛みを生じさせることが少なくなり、また、電子部品などであれば、損傷や破壊を防止することができる。
【００１５】
さらに、段積などにより荷重が上方から作用したとしても、煽り板の上端はフレームに支持されているので、この部分の係合が外れてしまうことはない。しかも、煽り板の下端部は、外方に膨出する方向に変形するため、煽り板の強度を向上させることができる。
【発明を実施するための最良の形態】
【００１６】
以下、図面を参照しながら、本発明の一実施例について説明する。
【００１７】
図１は本発明の一実施例による折り畳みコンテナに採用された煽り板２８を示したものである。すなわち、この煽り板２８は図２における煽り板１０に相当している。すなわち、その上端２８ａが前記フレーム１に揺動自在に支承され、煽り板２８の下端２８ｂは、立て起こされた状態で、底板２の端壁２ａに係止される。換言すれば、煽り板２８は、図１の状態から下端２８ｂ側を矢印Ａ方向に折り返すことにより、折り畳み状態に収納される。
【００１８】
このような煽り板２８には、物品が収容される側の内面に、溝状の凹部１２ａが形成されるリブ１２が、高さ方向に所定間隔離間して水平方向に形成されている。これにより、煽り板２８は、所定の強度を発揮するように構成されている。
【００１９】
さらに、本実施例による煽り板２８には、その内壁面２８ｃが外方に膨出するように湾曲されている。すなわち、煽り板２８は、外方に向かって広がるように球面状に膨出されている。
【００２０】
したがって、このような折り畳みコンテナ内に、丸みを帯びた物品４０、例えば、かぼちゃのような野菜を収容すると、そのかぼちゃ４０は、煽り板２８の内壁面２８ｃに沿って収容される。したがって、生鮮品であるかぼちゃ４０の傷み、欠損、損傷などを防止することができる。
【００２１】
また、かぼちゃ４０などを多数収容した状態の折り畳みコンテナを多段に積載した場合には、その荷重は、フレーム１を介して煽り板２８などに伝達されるが、その力は、煽り板２８の下端２８ｂに対しては、矢印Ｂ示したように、外側に膨出させる作用を有する。したがって、煽り板２８の下端２８ｂと底板２の端壁２ａとの係合が解除されることはない。さらに、このような折り畳みコンテナでは、矩形のフレーム１に煽り板２８の上端が揺動自在に支持されているため、煽り板２８の上端部がばらばらに外れてしまうことはない。
【００２２】
したがって、常に安定した状態での段積が可能になる。
【００２３】
以上、本発明の一実施例について説明したが、本発明は、上記実施例に何ら限定されず、種々の変形が可能である。
【００２４】
例えば、上記実施例では、煽り板２８の内壁面２８ｃに、球面状の丸みを全体に一つ設けているが、これに代え、球面状の凹所を複数個に分散して設けることもできる。その場合、上半位に一つ、下範囲に一つ、合計２つにしても良く、あるいは上下左右に各一つずつで、計４個とすることもでき、配置の仕方、数などは特に限定されない。
【００２５】
また、球面状の凹所を、図２に示した上側板部４と下側板部６とからなる側板８に設けることもできる。
【００２６】
また、煽り板２８、底板２、図示しない側板などは、ベタ面から形成されていても良く、あるいは格子状の孔が形成された板体から構成されていても良い。
このように孔が形成された網目状のコンテナ本体を構成すれば、排水性、洗浄性、通風性に優れるとともに、内部の様子を外部から視認することができるので、特に、野菜などの生鮮食料品を収容するのに好適である。
【００２７】
また、内部に収容される物品は、野菜に限定されず、様々な物品を収容することができる。
【図面の簡単な説明】
【００２８】
【図１】図１は本発明に係る折り畳みコンテナの一実施例を示した断面図である。
【図２】図２は実公平４−１５６３３号公報に開示された従来の折り畳みコンテナの一例を示す斜視図である。
【符号の説明】
【００２９】
１        フレーム
２        底板
４        上側板部
６        下側板部
７        ヒンジ
８        側板
１２      リブ
１２ａ    凹部
２０      折り畳みコンテナ
２８      煽り板
２８ａ    上端
２８ｂ    下端
２８ｃ    内壁面
４０      物品
【図１】
2005186942.tif 000003
【図２】
2005186942.tif 000004